(57)【要約】      （修正有）【課題】天板を好適に利用することができるとともに、医療用品支持フレームに支持された医療用品等の物品を作業者が好適に扱うことができる医療用天板付き家具を提供する。【解決手段】医療用天板付き家具Ｇを、天板１１と、この天板１１の中央付近に立設された一本又は複数の支柱２と、この支柱２に支持され前記天板１１から離れた位置に配された医療用品支持フレーム３とを備えてなるものとした。医療用支持フレーム３を支持する支柱２が天板１１の中央付近に立設されているため、作業者が、天板１１の全体を支柱２に邪魔されることなく好適に利用することができる。しかも、医療用品支持フレーム３に支持された医療用品に対して天板１１の全周縁から容易にアクセスすることができる。【選択図】図１
2017038656.tif 000002
【特許請求の範囲】
【請求項１】
天板と、この天板の中央付近に立設された一本又は複数の支柱と、この支柱に支持され前記天板から離れた位置に配された医療用品支持フレームとを備えてなる医療用天板付き家具。
【請求項２】
前記医療用品支持フレームが、前記天板の各縁部に対応したフレーム部材を備えている請求項１記載の医療用天板付き家具。
【請求項３】
前記医療用品支持フレームが、前記天板の各縁部に対応したフレーム部材を備えており、
平面視において、前記天板の各縁部と前記各縁部に対応したフレーム部材との間の距離が略同等になるように配設されている請求項１又は２記載の医療用天板付き家具。
【請求項４】
前記天板の中央付近に立設された一本の支柱を備えている請求項１、２又は３記載の医療用天板付き家具。
【請求項５】
前記医療用品支持フレームが、懸吊部材を介して輸液パックを懸吊支持し得るものであり、前記支柱が、前記輸液パックを懸吊支持している状態で前記輸液パックと前記天板との間に所定の作業空間が形成し得る上下寸法に設定されている請求項１、２、３又は４記載の医療用天板付き家具。
【請求項６】
前記医療用品支持フレームが、懸吊部材を介して輸液パックを懸吊支持し得るものであり、前記懸吊部材が、前記医療用品支持フレームに対して着脱可能に構成されている請求項１、２、３又は４記載の医療用天板付き家具。
【発明の詳細な説明】
【技術分野】
【０００１】
本発明は、病院等の医療機関において好適に使用される医療用天板付き家具に関する。
【背景技術】
【０００２】
従来から、病院等の医療機関において、看護師や医療従事者等により使用される医療用天板付き家具が知られている（例えば、特許文献１を参照）。この種の医療用天板付き家具は、病院内のナースステーションや処置室等に配置され、例えば、患者に対する調剤の準備等に資するものとなっている。
【０００３】
ところが、従来のものは、棚や作業補助用の立設物が天板の一端側に偏った状態で配設されていたり、天板の一方の縁部と他方の縁部に対をなして支柱が配設され当該支柱間にフレームが架設されていたりするものであった。このため、従来のものは、作業者が、必ずしも天板の全体を好適に利用することができるものとはなっていなかった。
【０００４】
しかも、従来のものは、天板の縁部に対する作業者のアクセス箇所によっては、所望の作業を実施し難い場合があり、作業者の作業効率にばらつきが生じやすいという問題があった。
【先行技術文献】
【特許文献】
【０００５】
【特許文献１】実用新案登録第２５８７２１６号公報
【発明の概要】
【発明が解決しようとする課題】
【０００６】
本発明は、以上のような事情に着目してなされたもので、天板を好適に利用することができるとともに、医療用品支持フレームに支持された医療用品等の物品を作業者が好適に扱うことができる医療用天板付き家具を提供することにある。
【課題を解決するための手段】
【０００７】
すなわち、本発明は次の構成をなしている。
【０００８】
請求項１に係る発明は、天板と、この天板の中央付近に立設された一本又は複数の支柱と、この支柱に支持され前記天板から離れた位置に配された医療用品支持フレームとを備えてなる医療用天板付き家具である。
【０００９】
請求項２に係る発明は、前記医療用品支持フレームが、前記天板の各縁部に対応したフレーム部材を備えている請求項１記載の医療用天板付き家具である。
【００１０】
請求項３に係る発明は、前記医療用品支持フレームが、前記天板の各縁部に対応したフレーム部材を備えており、平面視において、前記天板の各縁部と前記各縁部に対応したフレーム部材との間の距離が略同等になるように配設されている請求項１又は２記載の医療用天板付き家具である。
【００１１】
請求項４に係る発明は、前記天板の中央付近に立設された一本の支柱を備えている請求項１、２又は３記載の医療用天板付き家具である。
【００１２】
請求項５に係る発明は、前記医療用品支持フレームが、懸吊部材を介して輸液パックを懸吊支持し得るものであり、前記支柱が、前記輸液パックを懸吊支持している状態で前記輸液パックと前記天板との間に所定の作業空間が形成し得る上下寸法に設定されている請求項１、２、３又は４記載の医療用天板付き家具である。
【００１３】
請求項６に係る発明は、前記医療用品支持フレームが、懸吊部材を介して輸液パックを懸吊支持し得るものであり、前記懸吊部材が、前記医療用品支持フレームに対して着脱可能に構成されている請求項１、２、３又は４記載の医療用天板付き家具である。
【発明の効果】
【００１４】
以上説明したように本発明によれば、天板を好適に利用することができるとともに、医療用品支持フレームに支持された医療用品等の物品を作業者が好適に扱うことができる医療用天板付き家具を提供することができるものとなる。
【図面の簡単な説明】
【００１５】
【図１】本発明の一実施形態を示す斜視図。
【図２】同実施形態における正面図。
【図３】同実施形態における平面図。
【図４】同実施形態における斜視図。
【図５】同実施形態における右側面図。
【図６】他の実施形態を示す平面図。
【図７】他の実施形態を示す平面図。
【図８】他の実施形態を示す平面図。
【図９】他の実施形態を示す平面図。
【図１０】他の実施形態を示す平面図。
【発明を実施するための形態】
【００１６】
以下、本発明の一実施形態を、図１〜５を参照して説明する。
【００１７】
この実施形態は、本発明を、主に病棟の詰所すなわちナースステーションに配置される医療用天板付き家具Ｇに適用したものである。
【００１８】
医療用天板付き家具Ｇは、作業台となる天板１１を有した家具本体１と、この天板１１の中央付近に立設された一本の支柱２と、この支柱２に支持され天板１１から離れた位置に配された医療用品支持フレーム３とを備えてなる。医療用品支持フレーム３は、懸吊部材たるフック４を介して、薬剤たる輸液パック５を懸吊支持し得るようになっている。
【００１９】
家具本体１は、下端にキャスタ１２ａを有した四本の脚１２と、これら脚１２の上に配された収納棚１３と、この収納棚１３の上に四本の柱状の支持部材１４を介して当該収納棚１３と離れた位置に配された天板１１とを備えている。支持部材１４は、収納棚１３の四隅に配されている。
【００２０】
家具本体１は、天板１１の下部に配され当該天板１１に対して出し入れ可能に構成された補助天板１５１を有したサブテーブル１５を備えている。
【００２１】
収納棚１３は、枠体１３２の内部に、複数の棚部材１３１を配してなるものである。枠体１３２は、平面視矩形状をなす底板１３２ａと、この底板１３２ａに対して立設された複数枚の側面視矩形状をなす起立板１３２ｂと、これら起立板１３２ｂの上に配された平面視矩形状をなす上板１３２ｃとを主体に構成されている。棚部材１３１は、合成樹脂製のもので、上側が開放された箱状のものである。上板１３２ｃの上面側は、種々の物品を載置可能な物品載置面１３２ｄを備えている。
【００２２】
サブテーブル１５は、天板１１よりも小さな寸法に設定された矩形板状の補助天板１５１と、この補助天板１５１を支持する下端にキャスタ１５２ａを有した脚１５２とを備えてなるものである。サブテーブル１５は、必要な場合に、天板１１の下部から外部に引き出して使用される。
【００２３】
支柱２は、上下方向に延びてなるものであり、天板１１の平面視における中央付近に立設された単一のものである。より具体的は、支柱２は天板１１における前後方向及び左右方向の中間位置に立設されている。この実施形態では、支柱２は、基端を家具本体１の収納棚１３に支持させており、基端と先端との間の部位を家具本体１の天板１１に支持させている。支柱２は、輸液パック５を懸吊支持している状態で、輸液パック５と天板１１との間に、所定の作業空間ｇｍが形成し得る上下寸法に設定されている。より具体的には、所定の作業空間ｇｍを形成し得る支柱２の上下寸法は７３ｃｍであり、作業者が注射器等を用いて薬液を輸液パック５内に注入する作業に適した寸法となっている。
【００２４】
医療用品支持フレーム３は、平面視において環状の部位を有した支持フレーム本体３ａと、この支持フレーム本体３ａ内に配された連結部材たるフレーム状の支持部材３ｂとを備えてなる。
【００２５】
支持フレーム本体３ａは、天板の各縁部すなわち、前後左右の各縁部ｍ１、ｍ２、ｍ３、ｍ４に対応した前フレーム部材３１、後フレーム部材３２、左フレーム部材３３、右フレーム部材３４とを備えている。前フレーム３１と後フレーム２とは略並行に配されている。左フレーム３３と右フレーム３４とは、天板１１の左右方向中央を仮想中心線として、平面視において対称に配されている。
【００２６】
支持フレーム本体３ａは、当該前フレーム部材３１、後フレーム部材３２、左フレーム部材３３の中間部分、及び、右フレーム部材３４の中間部分によって、平面視において矩形環状の部位を形成している。
【００２７】
支持部材３ｂは、支持フレーム本体３ａにおける前フレーム３１の中間部と後フレーム３２の中間部との間を繋いでいる。支持部材３ｂの中間部には、支柱２の上端が接続している。
【００２８】
この実施形態では、平面視において、天板１１における前後左右の各縁部ｍ１、ｍ２、ｍ３、ｍ４と、これら各縁部ｍ１、ｍ２、ｍ３、ｍ４に対応した前フレーム部材３１、後フレーム部材３２、左フレーム部材３３、右フレーム部材３４との間の距離が略同等になるように配設されている。このため、各縁部ｍ１、ｍ２、ｍ３、ｍ４に近づいた看護師等の作業者は、各縁部ｍ１、ｍ２、ｍ３、ｍ４に対応した最も近い位置にある前後左右のフレーム部材３１、３２、３３、３４、及び、それらに支持された輸液パック５に容易にアクセスすることができるものとなる。
【００２９】
フック４は、合成樹脂製のものであり、医療用品支持フレーム３の支持フレーム本体３ａに対して着脱可能に構成されている。この実施形態では、複数のフック４が、前フレーム部材３１、後フレーム部材３２、左フレーム部材３３、右フレーム部材３４にそれぞれ取り付けられている。
【００３０】
輸液パック５は、点滴注射の用に供するものであり、内部に薬液が充てんされた普通のものである。輸液パック５は、フック４を介して医療用品支持フレーム３に懸吊支持されている。
【００３１】
この医療用天板付き家具Ｇは、図４及び図５に示すように、医療用ワゴンＡの一部を家具本体１内に挿入した状態で待機させ得るものとなっている。
【００３２】
医療用ワゴンＡは、金属製のパイプ材を主体に構成された支持体Ｂと、この支持体Ｂに対して上下方向に回動可能に支持されたトレーＣとを備えている。
【００３３】
支持体Ｂは、前部の二箇所、及び後部の二箇所にそれぞれ配設されたキャスタｂ１と、後部側のキャスタｂ１の上に配されるとともに当該キャスタｂ１に支持され上下方向に延びる左右の並行フレームたる左右の起立フレームｂ３、ｂ４と、左右の起立フレームｂ３、ｂ４の上端部から連続して延設された左右のハンドルフレームｂ５、ｂ６と、これら左右のハンドルフレームｂ５、ｂ６の前端部から前方に向かって連続して延設された直線状をなす左右の側支持部ｂ２１を有した上のトレー支持フレームｂ２とを備えている。トレー支持フレームｂ２の上には、トレーＣ（上のトレーＣ）が配されている。前側のキャスタｂ１の上には、上のトレー支持部フレームｂ２と略同一の構成をなす下のトレー支持フレームｂ７が配されている。下のトレー支持フレームｂ７における直線状をなす左右の側支持部ｂ７１の後端部は、左右の起立フレームｂ３、ｂ４の下端部近傍に接続している。トレー支持フレームｂ７の上には、トレーＣ（下のトレーＣ）が配される。左右の起立フレームｂ３、ｂ４間には、直線状をなす第一の連結部材ｂ８が架設されている。左右のハンドルフレームｂ５、ｂ６間には、直線状をなす第二の連結部材ｂ９が架設されている。
【００３４】
トレーＣは、合成樹脂により形成されている。トレーＣは、支持体Ｂに対して回動可能且つ着脱可能に構成されている。トレーＣは、平面視において前後方向に長い略長方形状をなす物品載置面ｃ１を有したトレー本体Ｈと、このトレー本体Ｈの周縁に設けられた周壁部材Ｓとを備えている。
【００３５】
医療用天板付き家具Ｇは、医療用ワゴンＡの一部を家具本体１内に挿入した状態で待機させ得るものとなっている。より具体的に言えば、医療用ワゴンＡにおける上のトレー支持フレームｂ２、及び、それに支持されたトレーＣを、天板１１と収納棚１３の上板１３２ｃとの間に位置させるとともに、下のトレー支持フレームｂ２、それに支持されたトレーＣ、及び、前側のキャスタｂ１を、収納棚１３の下に位置させることにより、作業エリアに支障をきたすことを抑制した態様で医療用ワゴンＡを医療用天板付き家具Ｇ内に待機させ得るものとなっている。
【００３６】
以上説明したように、本実施形態に係る医療用天板付き家具Ｇは、天板１１と、この天板１１の中央付近に立設された一本の支柱２と、この支柱２に支持され天板１１から離れた位置に配された医療用品支持フレーム３とを備えてなる。このため、作業者が、天板１１の全体を好適に利用することができるとともに医療用品支持フレーム３に支持された医療用品等の物品を作業者が好適に扱うことができるものとなる。つまり、医療用支持フレーム３を支持する支柱２が天板１１の中央付近に立設されているため、作業者が、天板１１の全体を支柱２に邪魔されることなく好適に利用することができるものとなる。しかも、このようなものであれば、フック４や当該フック４に支持された輸液パック５等の医療用品に対して天板１１の全周縁から容易にアクセスすることができるものとなっている。
【００３７】
医療用品支持フレーム３が、天板１１の各縁部ｍ１、ｍ２、ｍ３、ｍ４に対応したフレーム部材すなわち前後左右のフレーム部材３１、３２、３３、３４を備えている。このため、医療用品支持フレーム３が、天板１１の各縁部ｍ１、ｍ２、ｍ３、ｍ４に対応した構成をなしているため、それらに支持されたフック４や医療用品に対して天板１１の全周縁から容易にアクセスすることができるものとなる。
【００３８】
医療用品支持フレーム３が、平面視において、天板の各縁部ｍ１、ｍ２、ｍ３、ｍ４と、当該各縁部ｍ１、ｍ２、ｍ３、ｍ４に対応したフレーム部材３１、３２、３３、３４との間の距離が略同等になるように配設されている。このため、天板１１の各縁部ｍ１、ｍ２、ｍ３、ｍ４に近づいた使用者は、どの縁部ｍ１、ｍ２、ｍ３、ｍ４に近づいた場合であっても、医療用品支持フレーム３に支持されたフック４や輸液パック５等の医療用品に対して、略同じ態様でアクセスし得るものとなる。
【００３９】
この実施形態では、支柱２は一本のものであり、天板１１の中央付近に立設されている。このため、支柱２が作業者の邪魔になることが抑制されることになり、天板１１を広く作業スペースとして提供し得るものとなっている。
【００４０】
医療用品支持フレーム３が、懸吊部材たるフック４を介して輸液パック５を懸吊支持し得るものである。そして、支柱２が、輸液パック５を懸吊支持している状態で当該輸液パック５と天板１１との間に所定の作業空間ｇｍを形成し得る上下寸法に設定されている。このため、使用者の輸液パック５に対する種々の作業が行い易いものとなり、医療用品支持フレーム３を適切な高さ位置で支持した支柱２を提供することができるものとなっている。
【００４１】
フック４が、医療用品支持フレーム３に対して着脱可能に構成されている。このため、医療用品支持フレーム３からフック４を分離させて、清掃や殺菌等の日常的な作業を行い易いものとなっている。
【００４２】
なお、本発明は、以上に詳述した実施形態に限られるものではない。
【００４３】
天板の中央付近に立設された支柱は、一本のものには限られず、二本以上の複数であってもよい。
【００４４】
ここで、図６〜１０は、他の実施形態である医療用天板付き家具Ｇの平面図を示している。これら他の実施形態において、前述した実施形態と同一または対応する構成については同一の符号を付して説明するものとし、説明を省略する。
【００４５】
例えば、図６、図８、及び、図１０に示されるように、支柱２を天板１に対して二本立設させたものとし、当該二本の支柱２により医療用品支持フレーム３を支持するように構成してもよい。
【００４６】
医療用品支持フレームの形状は、上述した実施形態に示されたものには限定されない。
【００４７】
例えば、図７、図８、図９、及び、図１０に示すような形状のものであってもよい。図７、及び、図８では、天板１１の長手方向に沿って直線状に延びる一本のフレーム部材３５を主体として医療用品支持フレーム３を構成したものを示している。図９、及び、図１０では、略正方形状をなす天板１に対応させて略正方形をなす環状の部位を有した医療用品支持フレーム３を示している。
【００４８】
天板の形状は、種々の形状を採用することができるものであり、上述した実施形態に示されたものには限定されるものではない。
【００４９】
例えば、図９、及び、図１０に示すように、天板１を平面視において略正方形状に構成したものであってもよい。
【００５０】
その他、各部の具体的構成についても上記実施形態に限られるものではなく、本発明の趣旨を逸脱しない範囲で種々変形が可能である。
【符号の説明】
【００５１】
１…家具本体
２…支柱
３…医療用品支持フレーム
４…フック（懸吊部材）
５…輸液パック
Ａ…医療用ワゴン
Ｇ…医療用天板付き家具
ｇｍ…作業空間
【図１】
2017038656.tif 000003
【図２】
2017038656.tif 000004
【図３】
2017038656.tif 000005
【図４】
2017038656.tif 000006
【図５】
2017038656.tif 000007
【図６】
2017038656.tif 000008
【図７】
2017038656.tif 000009
【図８】
2017038656.tif 000010
【図９】
2017038656.tif 000011
【図１０】
2017038656.tif 000012